(57)【要約】【課題】正規の進入か不審者による侵入かを正確に検知することができる基地局、不審者侵入検知システム及び不審者侵入検知方法を提供すること。【解決手段】フェムトセル基地局１００は、正規端末が自フェムトセルエリアに在圏しない場合、近隣マクロセル基地局に携帯端末３００の在圏確認を要求する正規ユーザ在圏確認要求部１３０と、正規端末が近隣マクロセル基地局のエリア内に在圏である場合、マクロセル基地局２００に、自フェムトセル基地局１００へのハンドオーバを要求するハンドオーバ要求部１４０とを備える。不審者検知部１５０は、自フェムトセルエリアに正規端末が在圏する場合、あるいは、前記ハンドオーバが成功した場合、正規ユーザの進入であると判定する。また、不審者検知部１５０は、前記ハンドオーバが失敗した場合、あるいは、正規端末がマクロセルエリア内に在圏しない場合、不審者の侵入であると検知する。【選択図】図２
2012039364.tif 000002
【特許請求の範囲】
【請求項１】
第１セルの基地局と、前記第１セル内に存在し、前記第１セルよりセル半径が小さい第２セルの基地局と、を備える移動通信システムで使用される前記第２セルの基地局であって、
セキュリティエリアへの進入を検知するセキュリティセンサからの検知信号を受信する検知手段と、
前記セキュリティセンサからの検知信号を受信した場合、自セルに登録された無線通信端末が在圏するか否かを確認する確認手段と、
自セルに登録された無線通信端末が在圏しない場合、前記第１セルの基地局に前記無線通信端末の在圏を要求する要求手段と、
を備える基地局。
【請求項２】
前記第２セルの基地局は、
前記第１セルの基地局から前記無線通信端末が在圏する応答を受信した場合、
前記第１セルの基地局に、自基地局へのハンドオーバを要求するハンドオーバ要求手段と、
前記ハンドオーバが成功した場合、正規ユーザの進入であると判定する判定手段と、
を備える請求項１記載の基地局。
【請求項３】
前記判定手段は、
前記ハンドオーバが失敗した場合、不審者の侵入であると判定する、請求項２記載の基地局。
【請求項４】
前記判定手段は、
前記第１セルの基地局から前記無線通信端末が在圏する応答を受信しない場合、不審者の侵入であると判定する、請求項２記載の基地局。
【請求項５】
前記判定手段は、
自セルに登録された無線通信端末が在圏する場合、正規ユーザの進入であると判定する、請求項２記載の基地局。
【請求項６】
前記第１セルの基地局は、
前記第２セルの基地局からの在圏確認要求に対する在圏確認応答を送信する自セル内在圏確認手段を備える、請求項１記載の基地局。
【請求項７】
前記第１セルの基地局は、
前記第２セルの基地局からの前記ハンドオーバを要求に対するハンドオーバを指示するハンドオーバ指示手段を備える、請求項２記載の基地局。
【請求項８】
第１セルの基地局と、前記第１セル内に存在し、前記第１セルよりセル半径が小さい第２セルの基地局と、を備える不審者侵入検知システムであって、
前記第２セルの基地局は、
セキュリティエリアへの進入を検知するセキュリティセンサからの検知信号を受信する検知手段と、
前記セキュリティセンサからの検知信号を受信した場合、自セルに登録された無線通信端末が在圏することを確認する確認手段と、
自セルに登録された無線通信端末が在圏しない場合、前記第１セルの基地局に前記無線通信端末の在圏を要求する要求手段と、
前記第１セルの基地局から前記無線通信端末が在圏する応答を受信した場合、前記第１セルの基地局に、自基地局へのハンドオーバを要求するハンドオーバ要求手段と、
前記ハンドオーバが成功した場合、正規ユーザの進入であると判定する判定手段と、を備え、
前記第１セルの基地局は、
前記第２セルの基地局からの在圏確認要求に対する在圏確認応答を送信する自セル内在圏確認手段と、
前記第２セルの基地局からの前記ハンドオーバを要求に対するハンドオーバを指示するハンドオーバ指示手段と、
を備える不審者侵入検知システム。
【請求項９】
第１セルの基地局と、前記第１セル内に存在し、前記第１セルよりセル半径が小さい第２セルの基地局と、を備える不審者侵入検知システムに用いられる不審者侵入検知方法であって、
前記第２セルの基地局において、
セキュリティエリアへの進入を検知するセキュリティセンサからの検知信号を受信するステップと、
前記セキュリティセンサからの検知信号を受信した場合、自セルに登録された無線通信端末が在圏することを確認するステップと、
自セルに登録された無線通信端末が在圏しない場合、前記第１セルの基地局に前記無線通信端末の在圏を要求するステップと、
前記第１セルの基地局から前記無線通信端末が在圏する応答を受信した場合、前記第１セルの基地局に、自基地局へのハンドオーバを要求するステップと、
前記ハンドオーバが成功した場合、正規ユーザの進入であると判定するステップと、
を有する不審者侵入検知方法。
【発明の詳細な説明】
【技術分野】
【０００１】
本発明は、基地局、不審者侵入検知システム及び不審者侵入検知方法に関する。
【背景技術】
【０００２】
一般家庭又はオフィスなどの建物内において、セル半径が数十メートル以下の狭小セル（フェムトセル：Femto Cell）をカバー範囲とする無線通信基地局装置（フェムトセル基地局、又はＨｏｍｅ  Ｎｏｄｅ−Ｂ等と称される。以下、「フェムトセル基地局」又は「ＨＮＢ」と記す。）の設置が検討されている。
【０００３】
３ＧＰＰ（3rd Generation Partnership Project）ＬＴＥ（Long term evolution）で検討されているフェムトセル基地局は、例えば、家庭に設置された場合、その家の家族だけにアクセスを制限するなどのように、限られたグループメンバーにだけアクセスを許可することが検討されている。このようなセルはアクセス限定セル（CSG cell: Closed Service Group cell）と呼ばれることもある。
【０００４】
また、アクセスが許可された携帯端末であるＵＥ（User Equipment)は、フェムトセル基地局に優先的に接続する。すなわち、ＵＥがフェムトセル基地局のエリアに入った場合、フェムトセル基地局よりもセル半径が大きい既存の基地局（以下、「マクロセル」又は「マクロ基地局」と記す。）の電波を受信できたとしても、優先的に小セル無線通信基地局装置に接続する。
【０００５】
現在、移動体通信システムではセル半径が狭い（半径数メートル〜数十メートルの）小型基地局（フェムトセル）が開発されており、各住居に設置されることを想定されている。そして、そのメリットを活用して移動体通信サービス（音声通話やデータ通信等）の他にホームセキュリティに用いることも検討されている。
【０００６】
特許文献１には、建造物のセキュリティのために携帯電話端末と小型の基地局（フェムトセル）を用いる基地局及び移動機が記載されている。特許文献１記載の基地局及び移動機は、ドアや窓に設置しているスイッチやフェムトセル基地局の登録者情報などから不審者の侵入を検知した場合、フェムトセル基地局に登録している所定の相手先に警告メッセージを送信する。
【０００７】
図１は、特許文献１記載の基地局及び移動機を用いたセキュリティシステムの構成を示す図である。
【０００８】
図１に示すように、セキュリティシステムは、建造物１０内に、ドア１１に設置された開錠センサ１２と、開錠センサ１２に接続されたフェムトセル基地局１３とを備える。開錠センサ１２は、近距離無線通信を用いて人体等の通過を検知する監視機器である。
【０００９】
フェムトセル基地局１３は、ネットワーク１４を介してサーバ１５に接続される。フェムトセル基地局１３は、フェムトセル基地局エリア内で登録した移動機１６と無線通信を行う。移動機１６は、例えば携帯電話機である。
【００１０】
このセキュリティシステムでは、ドア１１が開かれた際、開錠センサ１２は人体通信等の近距離無線通信を用いて移動機１６にフェムトセル基地局１３のＩＤを伝える。移動機１６は、開錠センサ１２から受信したＩＤに対応するフェムトセル基地局１３に対して位置登録を試みる。
【００１１】
位置登録が成功し、かつ移動機１６のＩＤがフェムトセル基地局１３に予め登録されているＩＤと一致した場合、正常な進入であると判定する。位置登録が失敗の場合、又は移動機１６のＩＤがフェムトセル基地局１３に予め登録されているＩＤと一致しない場合、不審者による侵入であると判定する。
【００１２】
このように、建造物１０に開錠センサ１２とフェムトセル基地局１３を設置し、開錠時等にフェムトセル基地局１３によって移動機１６情報を読み取る。移動機１６情報を読み取れない場合、又は、読み取った移動機１６情報と登録された情報が一致しない場合、ネットワーク１４を介して所定の相手先であるサーバ１５へ通報する。
【先行技術文献】
【特許文献】
【００１３】
【特許文献１】特開２００９−２０６７１６号公報
【発明の概要】
【発明が解決しようとする課題】
【００１４】
しかしながら、このような従来のセキュリティシステムでは、以下の課題がある。
【００１５】
図１において、移動機１６がフェムトセル基地局１３と通信可能な範囲にあり、かつ周辺に存在するマクロ基地局（図示略）に在圏し、フェムトセル基地局１３に在圏していないケースを考える。例えば、移動機１６の所有者が帰宅直後であり、フェムトセル基地局１３と通信可能な範囲に入ってきた直後がこのケースとして考えられる。
【００１６】
このようなケースにおいては、移動機１６はフェムトセル基地局１３の信号を受信していない。このため、開錠センサ１２が進入を検知したとしても移動機１６が検知されず、不審者の進入として判定されてしまう。
【００１７】
また、移動機１６及びセンサ部が人体通信インタフェースを備えることにより、センサ部と移動機１６との通信を契機としたフェムトセル基地局への位置登録が行われる。ところが、これを実現するためには移動機１６に、携帯電話機としての本来の通信機能とは別の、例えば人体通信やＦｅｌｉｃａ等のインタフェースを備える必要がある。このため、移動機１６に上記インタフェースを追加しない場合と比べて製造コストが高くなるといった課題がある。
【００１８】
本発明の目的は、正規の進入か不審者による侵入かを正確に検知することができる基地局、不審者侵入検知システム及び不審者侵入検知方法を提供することである。
【課題を解決するための手段】
【００１９】
本発明の基地局は、第１セルの基地局と、前記第１セル内に存在し、前記第１セルよりセル半径が小さい第２セルの基地局と、を備える移動通信システムで使用される前記第２セルの基地局であって、セキュリティエリアへの進入を検知するセキュリティセンサからの検知信号を受信する検知手段と、前記セキュリティセンサからの検知信号を受信した場合、自セルに登録された無線通信端末が在圏するか否かを確認する確認手段と、自セルに登録された無線通信端末が在圏しない場合、前記第１セルの基地局に前記無線通信端末の在圏を要求する要求手段と、を備える構成を採る。
【００２０】
本発明の不審者侵入検知システムは、第１セルの基地局と、前記第１セル内に存在し、前記第１セルよりセル半径が小さい第２セルの基地局と、を備える不審者侵入検知システムであって、前記第２セルの基地局は、セキュリティエリアへの進入を検知するセキュリティセンサからの検知信号を受信する検知手段と、前記セキュリティセンサからの検知信号を受信した場合、自セルに登録された無線通信端末が在圏することを確認する確認手段と、自セルに登録された無線通信端末が在圏しない場合、前記第１セルの基地局に前記無線通信端末の在圏を要求する要求手段と、前記第１セルの基地局から前記無線通信端末が在圏する応答を受信した場合、前記第１セルの基地局に、自基地局へのハンドオーバを要求するハンドオーバ要求手段と、前記ハンドオーバが成功した場合、正規ユーザの進入であると判定する判定手段と、を備え、前記第１セルの基地局は、前記第２セルの基地局からの在圏確認要求に対する在圏確認応答を送信する自セル内在圏確認手段と、前記第２セルの基地局からの前記ハンドオーバを要求に対するハンドオーバを指示するハンドオーバ指示手段と、を備える構成を採る。
【００２１】
本発明の不審者侵入検知方法は、第１セルの基地局と、前記第１セル内に存在し、前記第１セルよりセル半径が小さい第２セルの基地局と、を備える不審者侵入検知システムに用いられる不審者侵入検知方法であって、前記第２セルの基地局において、セキュリティエリアへの進入を検知するセキュリティセンサからの検知信号を受信するステップと、前記セキュリティセンサからの検知信号を受信した場合、自セルに登録された無線通信端末が在圏することを確認するステップと、自セルに登録された無線通信端末が在圏しない場合、前記第１セルの基地局に前記無線通信端末の在圏を要求するステップと、前記第１セルの基地局から前記無線通信端末が在圏する応答を受信した場合、前記第１セルの基地局に、自基地局へのハンドオーバを要求するステップと、前記ハンドオーバが成功した場合、正規ユーザの進入であると判定するステップと、を有する。
【発明の効果】
【００２２】
本発明によれば、正規端末がフェムトセル基地局と通信可能な範囲にありながら周辺に存在するマクロセル基地局に在圏している場合においても、正規の進入か不審者による侵入かを正確に検知することができる。
【００２３】
また、無線通信端末に追加のインタフェース装置を必要とすることなく、かつ、フェムトセル基地局に特別な機器を設置することなくセキュリティシステムを構築することができる。
【図面の簡単な説明】
【００２４】
【図１】従来の基地局及び移動機を用いたセキュリティシステムの構成を示す図
【図２】本発明の実施の形態に係るフェムトセル基地局の構成を示すブロック図
【図３】上記実施の形態に係る不審者侵入検知システムの構成を示す図
【図４】上記実施の形態に係るフェムトセル基地局の動作を示すフロー図
【図５】上記実施の形態に係る不審者侵入検知システムのセキュリティセンサ、フェムトセル基地局、携帯端末、マクロセル基地局、及びサーバの制御シーケンス図
【発明を実施するための形態】
【００２５】
以下、本発明の実施の形態について図面を参照して詳細に説明する。
【００２６】
（実施の形態）
図２は、本発明の一実施の形態に係るフェムトセル基地局の構成を示すブロック図である。図２においては、セキュリティシステムである不審者侵入検知システムに直接関係しない機能ブロックの記載は省略されている。
【００２７】
本実施の形態は、フェムトセル基地局をセキュリティに利用したセキュリティシステムに適用した例である。
【００２８】
図１に示すように、セキュリティシステムは、セキュリティセンサ１０１と、フェムトセル基地局１００と、マクロセル基地局２００と、携帯端末３００とを備える。
【００２９】
セキュリティセンサ１０１は、セキュリティエリアへの進入を検知する開錠センサ、点灯センサ、ピッキング検知器などの各種屋内セキュリティセンサである。
【００３０】
フェムトセル基地局１００は、進入検知部１１０、正規ユーザ自エリア内在圏確認部１２０、正規ユーザ在圏確認要求部１３０、ハンドオーバ（ＨＯ：handover）要求部１４０、及び不審者検知部１５０を備える。
【００３１】
進入検知部１１０は、セキュリティセンサ１０１からの進入検知信号を受信する。
【００３２】
正規ユーザ自エリア内在圏確認部１２０は、セキュリティセンサ１０１からの検知信号を受信した場合、自エリアに登録された無線通信端末（正規端末）が在圏することを確認する。正規端末とは、該当フェムトセル基地局を使用可能な携帯端末である。
【００３３】
正規ユーザ在圏確認要求部１３０は、正規端末が自フェムトセルエリアに在圏しない場合、近隣マクロセル基地局に携帯端末３００の在圏確認を要求する。
【００３４】
ハンドオーバ要求部１４０は、正規端末が近隣マクロセル基地局のエリア内に在圏である場合、マクロセル基地局２００に、自フェムトセル基地局１００へのハンドオーバを要求する。
【００３５】
不審者検知部１５０は、自フェムトセルエリアに正規端末が在圏する場合、あるいは、前記ハンドオーバが成功した場合、正規ユーザの進入であると判定する。また、不審者検知部１５０は、前記ハンドオーバが失敗した場合、あるいは、正規端末がマクロセルエリア内に在圏しない場合、不審者の侵入であると検知する。
【００３６】
マクロセル基地局２００は、正規ユーザ自エリア内在圏確認部２１０、及びハンドオーバ指示部２２０を備える。
【００３７】
正規ユーザ自エリア内在圏確認部２１０は、自マクロセルエリア内に、フェムトセル基地局１００からの在圏確認要求を確認し、在圏確認応答を送信する。
【００３８】
ハンドオーバ指示部２２０は、フェムトセル基地局１００から要求された携帯端末３００をフェムトセル基地局１００へハンドオーバさせる。
【００３９】
携帯端末３００は、マクロセル基地局２００からの指示に従い他基地局へハンドオーバする機能を備える。
【００４０】
図３は、本発明の実施の形態に係る不審者侵入検知システムの構成を示す図である。
【００４１】
図３に示すように、不審者侵入検知システムは、セキュリティエリア１０２への不審者侵入を判定する。図３では、セキュリティエリア１０２は、建造物であり、セキュリティセンサ１０１は、この建造物のドア１０３に設置された開錠センサである。開錠センサは、近距離無線通信を用いて人体等の通過を検知する。
【００４２】
セキュリティエリア１０２内には、セキュリティセンサ１０１に接続されたフェムトセル基地局１００（図２参照）が設置される。フェムトセル基地局１００は、ネットワーク４００を介してマクロセル基地局２００及びサーバ４１０に接続される。フェムトセル基地局１００は、フェムトセル基地局エリア内で登録した携帯端末３００と無線通信を行う。携帯端末３００は、例えば携帯電話機などの移動機である。
【００４３】
セキュリティエリア１０２には、フェムトセル基地局１００、及びセキュリティエリア１０２への進入を検知するためのセキュリティセンサ１０１が設置されている。
【００４４】
セキュリティセンサ１０１は、フェムトセル基地局１００に接続されており、進入検知情報をフェムトセル基地局１００へ送信する。
【００４５】
サーバ４１０は、キャリア網及びインターネット網によるネットワーク４００を介してフェムトセル基地局１００及びマクロセル基地局２００に接続されている。フェムトセル基地局１００、マクロセル基地局２００、及びサーバ４１０は、ネットワーク４００を介して互いにデータを送受信できる。
【００４６】
携帯端末３００は、フェムトセル基地局１００及びマクロセル基地局２００とセルラ方式による無線のネットワーク４００を形成している。携帯端末３００は、フェムトセル基地局１００及びマクロセル基地局２００の間をハンドオーバすることができる。また、携帯端末３００は、例えば電話番号のような携帯端末情報を用いてセキュリティエリア１０２に進入可能な端末としてフェムトセル基地局１００乃至サーバ４１０に登録されている。
【００４７】
なお、セキュリティエリア１０２に進入可能な携帯端末とフェムトセル基地局１００に位置登録可能な携帯端末の定義は同じとしてもよいし、前者の携帯端末を後者の携帯端末の上位のセキュリティレベルにある端末として定義してもよい。
【００４８】
以下、上述のように構成された不審者侵入検知システムの動作について説明する。
【００４９】
まず、セキュリティセンサ１０１が進入を検知した際のフェムトセル基地局１００の動作を説明する。
【００５０】
図４は、フェムトセル基地局１００の動作を示すフローチャートである。
【００５１】
フェムトセル基地局１００が進入検知情報を受信すると、本フローがスタートする。具体的には、進入検知部１１０が、セキュリティセンサ１０１からの進入検知信号を受信すると、ステップＳ１では、正規ユーザ自エリア内在圏確認部１２０は、登録された携帯端末３００が在圏であるか否かを判別する。登録された携帯端末３００が在圏である場合は、登録された携帯端末３００がフェムトセルエリアに在圏しているので、正規の進入であると判定して本フローを終了する。
【００５２】
登録された携帯端末３００が在圏でない場合は、ステップＳ２で、正規ユーザ在圏確認要求部１３０は、在圏確認要求を送信する。
【００５３】
ステップＳ３では、正規ユーザ在圏確認要求部１３０は、一定時間内に応答があるか否かを判別する。
【００５４】
一定時間内に応答がある場合、ステップＳ４で、正規ユーザ自エリア内在圏確認部１２０は、登録された携帯端末３００がマクロセル基地局２００に在圏であるか否かを判別する。
【００５５】
登録された携帯端末３００がマクロセル基地局２００に在圏である場合は、ステップＳ５で、ハンドオーバ要求部１４０は、フェムトセル基地局１００へのハンドオーバ要求を送信する。
【００５６】
ステップＳ６では、正規ユーザ自エリア内在圏確認部１２０は、携帯端末３００との同期処理を行い、ステップＳ７で携帯端末３００の位置登録を行う。
【００５７】
ステップＳ８では、ハンドオーバ要求部１４０は、ハンドオーバ成功か否かを判別する。
【００５８】
ハンドオーバ成功の場合は、ステップＳ８で、ハンドオーバ要求部１４０は、ハンドオーバした携帯端末３００は登録された携帯端末３００であるか否かを判別する。
【００５９】
ハンドオーバした携帯端末３００が登録されている場合、正規の進入であると判定する。
【００６０】
上述したように、フェムトセル基地局１００が進入検知情報を受信した場合に、正規の進入であると判定するケースは、以下の２ケース(1)(2)がある。
【００６１】
すなわち、(1)登録された携帯端末３００がフェムトセルエリアに在圏している場合（ステップＳ１の「在圏である」）である。また、(2)登録された携帯端末３００がフェムトセルエリアに在圏していない場合（ステップＳ１の「在圏でない」）であっても、マクロセル基地局２００には在圏しており、かつ、ハンドオーバ要求部１４０が、フェムトセル基地局１００へハンドオーバを要求し、登録された携帯端末３００がハンドオーバに成功した場合（ステップＳ２乃至ステップＳ９の「登録されている」）である。
【００６２】
一方、上記ステップＳ３で一定時間内に応答がない場合、上記ステップＳ４で登録された携帯端末３００がマクロセル基地局に在圏でない場合、上記ステップＳ８でハンドオーバが失敗した場合、あるいは上記ステップＳ９でハンドオーバした携帯端末３００が登録されていない場合、不審者による侵入であると判定して本フローを終了する。
【００６３】
上述したように、フェムトセル基地局１００が進入検知情報を受信した場合に、不審者による侵入であると判定するケースは、以下の２ケース(3)(4)がある。
【００６４】
すなわち、(3)登録された携帯端末３００がフェムトセルエリアに在圏していない場合（ステップＳ１の「在圏でない」）で、マクロセル基地局２００には在圏しているものの、ハンドオーバ失敗の場合（ステップＳ８の「失敗」）か、ハンドオーバに成功しても携帯端末３００が登録されていない場合（ステップＳ９の「登録されていない」）である。また、(4)登録された携帯端末３００がマクロセルエリアに非在圏の場合（ステップＳ３の「応答なし」又はステップＳ４の「在圏でない」）である。
【００６５】
このように、本セキュリティシステムは、フェムトセル基地局１００⇔携帯端末３００⇔マクロセル基地局２００の在圏の関係として考えられる、上記４ケース(1)(2)(3)(4)全てに対し、不審者検知を正しく行うことができる。
【００６６】
基本的な判定についてまとめると、下記の通りである。
【００６７】
まず、登録された携帯端末３００（正規端末）が既に圏内にあり、位置登録されているかどうかをチェックする。登録された携帯端末３００が既に圏内にある場合は、その携帯端末３００の所有者による進入と考えられるため、正規の進入であると判定する。
【００６８】
登録された携帯端末３００が圏内に居ない場合、登録された携帯端末３００がフェムトセル基地局１００との通信可能範囲内に進入した直後である可能性が考えられる。そこで、フェムトセル基地局１００は、ネットワーク４００（図３）を通じて登録された携帯端末３００の在圏確認要求を送信し、登録された携帯端末３００がマクロセル基地局２００の圏内であるかどうかネットワーク４００を通じてサーバ４１０に問い合わせる。
【００６９】
なお、フェムトセル基地局１００がマクロセル基地局２００と直接通信できる通信システムである場合は、前記問い合わせはマクロセル基地局２００へ直接行ってもよい。また、フェムトセル基地局１００は、前記問い合わせの対象をフェムトセル基地局１００周辺のマクロセル基地局２００に限定してもよいし、全てのマクロセル基地局２００としてもよい。
【００７０】
在圏確認要求に対し一定時間内に応答を受信しなかった場合、又は在圏確認要求に対する応答にて登録された携帯端末３００がマクロセル基地局２００にも在圏でなかった場合、登録された携帯端末３００の所有者ではない者の進入である可能性が高いため、フェムトセル基地局１００は不審者による侵入であると判定する。
【００７１】
ここで、フェムトセル基地局１００が不審者による侵入と判定した後の動作に関しては、登録された携帯端末３００へ通報する、警備会社へ通報する、ライトをつける、アラームを鳴らす、等が考えられる。
【００７２】
在圏確認要求に対する応答により、登録された携帯端末３００がマクロセル基地局２００に在圏であると判明した場合、フェムトセル基地局１００は、登録された携帯端末３００のマクロセル基地局２００からフェムトセル基地局１００へのハンドオーバを試みる。
【００７３】
ハンドオーバが成功し、登録された携帯端末３００がフェムトセル基地局１００の圏内となった場合、正規の進入であると判定する。ハンドオーバが失敗した場合、登録された携帯端末３００の所有者ではない者の進入である可能性が高いため、フェムトセル基地局１００は不審者による侵入であると判定する。
【００７４】
以下にハンドオーバ処理の一例を挙げる。
【００７５】
まず、フェムトセル基地局１００は、サーバ４１０を通じマクロセル基地局２００へハンドオーバ要求を送信する。ハンドオーバ要求を受信したマクロセル基地局２００は、指定された携帯端末３００、つまり登録された携帯端末３００に対しフェムトセル基地局１００へのハンドオーバ指示を送信する。
【００７６】
ハンドオーバ指示を受信した携帯端末３００は、フェムトセル基地局１００の同期信号及び報知情報の受信と同期を試みる。その後、登録された携帯端末３００がフェムトセル基地局１００へ同期し位置登録要求を送信するのを待つ。位置登録が一定時間内に成功した場合、フェムトセル基地局１００は、ハンドオーバ成功と判定してハンドオーバ元のマクロセル基地局２００へハンドオーバ成功を通知する。
【００７７】
なお、ハンドオーバは、セルラ方式による移動通信システムの基本的な機能の一つである。また、ハンドオーバの具体的な手順は、必ずしも前記の方法に限定されない。
【００７８】
次に、進入検知情報受信時に関し、フェムトセル基地局１００だけでなく、セキュリティセンサ１０１、携帯端末３００、マクロセル基地局２００、サーバ４１０を含めた動作を図５に示す制御シーケンス図を用いて説明する。
【００７９】
図５は、セキュリティセンサ１０１、フェムトセル基地局１００、携帯端末３００、マクロセル基地局２００、及びサーバ４１０の制御シーケンスを示す図である。
【００８０】
まず、携帯端末３００がフェムトセル基地局１００に在圏である場合における各装置の動作について説明する。
【００８１】
携帯端末３００は、セキュリティセンサ１０１が進入検知情報をフェムトセル基地局１００に送信する前に、フェムトセル基地局１００が送信する報知情報を受信する（図５ａ．参照）。携帯端末３００は、フェムトセル基地局１００への位置登録要求を行う（図５ｂ．参照）。フェムトセル基地局１００は、登録された携帯端末３００による要求である場合、在圏登録を実施する（図５ｃ．参照）。フェムトセル基地局１００に位置登録されることになる。
【００８２】
フェムトセル基地局１００がセキュリティセンサ１０１からの進入検知情報を受信すると（図５ｄ．参照）、フェムトセル基地局１００は、登録された携帯端末３００が自局の圏内に存在するため、登録された携帯端末３００の所有者による正規の進入であると判定する（図５ｅ．参照）。
【００８３】
次に、携帯端末３００がフェムトセル基地局１００に在圏ではなく、マクロセル基地局２００に在圏である場合の各装置の動作について説明する。
【００８４】
携帯端末３００は、セキュリティセンサ１０１が進入検知情報をフェムトセル基地局１００に送信する前に、マクロセル基地局２００が送信する報知情報を受信する（図５ｆ．参照）。携帯端末３００は、マクロセル基地局２００への位置登録要求を行う（図５ｇ．参照）。携帯端末３００は、マクロセル基地局２００に位置登録されることになる。
【００８５】
この場合において、フェムトセル基地局１００がセキュリティセンサ１０１からの進入検知情報を受信すると（図５ｈ．参照）、フェムトセル基地局１００は、自局内に登録された携帯端末３００が存在しないため、サーバ４１０に在圏確認要求を送信し、登録された携帯端末３００がマクロセル基地局２００に在圏しているかどうか問い合わせる（図５ｉ．参照）。
【００８６】
サーバ４１０は、マクロセル基地局２００に在圏確認要求を送信し、登録された携帯端末３００がマクロセル基地局２００に在圏しているかどうか問い合わせる（図５ｊ．参照）。
【００８７】
マクロセル基地局２００は、フェムトセル基地局１００に登録された携帯端末３００が在圏であるため、マクロセル基地局２００は在圏であるとの応答をサーバ４１０に返し（図５ｋ．参照）、同様にサーバ４１０はフェムトセル基地局１００に在圏であるとの応答を返す（図５ｌ．参照）。
【００８８】
フェムトセル基地局１００は、前記応答を受信後にハンドオーバ先をフェムトセル基地局１００としてハンドオーバ要求をサーバ４１０に送信する（図５ｍ．参照）。サーバ４１０は、マクロセル基地局２００にハンドオーバ要求を送信し（図５ｎ．参照）、マクロセル基地局２００は、携帯端末３００にフェムトセル基地局１００へのハンドオーバ指示を送信する（図５ｏ．参照）。
【００８９】
携帯端末３００は、ハンドオーバ指示を受信すると、フェムトセル基地局１００への同期と報知情報の受信を試み（図５ｐ．参照）、報知情報の受信が成功すればフェムトセル基地局１００へ位置登録要求を送信する（図５ｑ．参照）。
【００９０】
フェムトセル基地局１００は、携帯端末３００からの位置登録要求を受信すると、登録された携帯端末３００による要求である場合、在圏登録を実施する（図５ｒ．参照）。具体的には、フェムトセル基地局１００は、携帯端末３００からの位置登録要求を受信すると、位置登録要求に含まれる携帯端末３００情報がハンドオーバ要求を送信した際に指定した携帯端末３００情報、つまりフェムトセル基地局１００に登録された携帯端末３００情報と合致するかを判定する。フェムトセル基地局１００は、合致した場合は位置登録処理を行い、サーバ４１０へのハンドオーバ応答としてハンドオーバ成功を送信する（図５ｓ．参照）。
【００９１】
ハンドオーバが成功した場合、登録された携帯端末３００がフェムトセル基地局１００に在圏することとなるため、フェムトセル基地局１００は登録された携帯端末３００の所有者による正規の進入であると判定する（図５ｔ．参照）。
【００９２】
ハンドオーバが失敗の場合（図５ｕ．ｖ．参照）、フェムトセル基地局１００は不審者による侵入であると判定する（図５ｗ．参照）。ハンドオーバ失敗の原因としては、例えば携帯端末３００が一定時間内のフェムトセル基地局１００の報知情報を取得できない、携帯端末３００が送信する位置登録要求に含まれる携帯端末３００情報がフェムトセル基地局１００に含まれたものと一致しない、等が考えられる。
【００９３】
最後に、携帯端末３００がフェムトセル基地局１００にもマクロセル基地局２００にも在圏でない場合の動作について説明する。
【００９４】
この場合、フェムトセル基地局１００及びマクロセル基地局２００に対して携帯端末３００の位置登録要求は行われていない。この状態において、フェムトセル基地局１００がセキュリティセンサ１０１からの進入検知信号を受信すると、フェムトセル基地局１００はサーバ４１０に在圏確認要求を送信し、登録された携帯端末３００がマクロセル基地局２００に在圏しているかどうか問い合わせ、サーバ４１０はマクロセル基地局２００に在圏確認要求を送信する。
【００９５】
その後、マクロセル基地局２００は非在圏の応答をサーバ４１０に返し、サーバ４１０は同様に非在圏の応答をフェムトセル基地局１００に送信する。フェムトセル基地局１００は不審者による侵入であると判定する（図５ｘ．参照）。
【００９６】
以上詳細に説明したように、本実施の形態によれば、フェムトセル基地局１００は、セキュリティセンサ１０１からの検知信号を受信した場合、自エリアに登録された無線通信端末（正規端末）が在圏することを確認する正規ユーザ自エリア内在圏確認部１２０を備える。また、フェムトセル基地局１００は、正規端末が自フェムトセルエリアに在圏しない場合、近隣マクロセル基地局に携帯端末３００の在圏確認を要求する正規ユーザ在圏確認要求部１３０と、正規端末が近隣マクロセル基地局のエリア内に在圏である場合、マクロセル基地局２００に、自フェムトセル基地局１００へのハンドオーバを要求するハンドオーバ要求部１４０とを備える。不審者検知部１５０は、自フェムトセルエリアに正規端末が在圏する場合、あるいは、前記ハンドオーバが成功した場合、正規ユーザの進入であると判定する。また、不審者検知部１５０は、前記ハンドオーバが失敗した場合、あるいは、正規端末がマクロセルエリア内に在圏しない場合、不審者の侵入であると検知する。
【００９７】
フェムトセル基地局１００は、ドア開閉等を検知した際に自エリア内に正規端末が在圏でない場合、正規端末へ自エリア内にハンドオーバするよう指示し、ハンドオーバ失敗の場合に不審者侵入と判定する。ハンドオーバを用いることで、マクロセル在圏の時もフェムトセル在圏を促すことができ、不審者侵入を誤判定してしまうことがない。また、ハンドオーバを用いることで、不審者侵入検知の精度を高めることができるだけでなく、帰宅時に迅速にフェムトセル基地局１００へハンドオーバができる。
【００９８】
このように、セルラ方式による移動通信システムの基本的な機能であるハンドオーバを用いることで、携帯端末３００がフェムトセル基地局１００ではなくマクロセル基地局２００に在圏の場合においても携帯端末３００がフェムトセル基地局１００の付近にいるかどうかを判別することができる。すなわち、正規端末がフェムトセル基地局１００と通信可能な範囲にありながら周辺に存在するマクロセル基地局２００に在圏している場合においても、正規の進入か不審者による侵入かを正確に検知することができる。
【００９９】
また、セキュリティエリア１０２にフェムトセル基地局１００とセキュリティセンサ１０１以外の特別な機器を設置することなくセキュリティシステムを構築できる。特に、携帯端末３００に追加のインタフェース装置を必要としない。
【０１００】
さらに、セキュリティセンサ１０１の進入検知を契機としてフェムトセル基地局１００へのハンドオーバを行うことができるため、フェムトセル基地局１００と携帯端末３００が通信することにより実現できるサービス、例えば家電コントロールサービス等の開始を、携帯端末３００の所有者の特別な操作無しで行うことができる。
【０１０１】
以上の説明は本発明の好適な実施の形態の例証であり、本発明の範囲はこれに限定されることはない。
【０１０２】
例えば、上記実施の形態では、基地局がフェムトセル基地局で説明したが、基地局はピコセルやマイクロセル、ＩＭＣＳ（Inbuilding Mobile Communication System）等であっても構わない。
【０１０３】
上記実施の形態では、フェムトセル基地局、無線通信端末、不審者侵入検知システム及び不審者侵入検知方法という名称を用いたが、これは説明の便宜上であり、装置はフェムトセル基地局，セキュリティシステム、方法はセキュリティ方法等であってもよい。
【０１０４】
さらに、上記フェムトセル基地局及びマクロセル基地局を構成する各構成部、例えば送受信部の種類などは前述した実施の形態に限られない。
【０１０５】
上記実施の形態では、本発明をハードウェアで構成する場合を例にとって説明したが、本発明はソフトウェアで実現することも可能である。
【０１０６】
また、上記実施の形態の説明に用いた各機能ブロックは、典型的には集積回路であるＬＳＩとして実現される。これらは個別に１チップ化されてもよいし、一部又は全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１０７】
また、集積回路化の手法はＬＳＩに限るものではなく、専用回路又は汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。
【０１０８】
さらには、半導体技術の進歩又は派生する別技術によりＬＳＩに置き換わる集積回路化の技術が登場すれば、当然、その技術を用いて機能ブロックの集積化を行ってもよい。例えば、バイオ技術の適用等が可能である。
【産業上の利用可能性】
【０１０９】
本発明の基地局、不審者侵入検知システム及び不審者侵入検知方法は、フェムトセル基地局をセキュリティに利用したセキュリティシステム、フェムトセルシステム等の用途に有用である。
【符号の説明】
【０１１０】
１００  フェムトセル基地局
１０１  セキュリティセンサ
１０２  セキュリティエリア
１１０  進入検知部
１２０  正規ユーザ自エリア内在圏確認部
１３０  正規ユーザ在圏確認要求部
１４０  ハンドオーバ要求部
１５０  不審者検知部
２００  マクロセル基地局
２１０  正規ユーザ自エリア内在圏確認部
２２０  ハンドオーバ指示部
３００  携帯端末
４００  ネットワーク
４１０  サーバ
【図１】
2012039364.tif 000003
【図２】
2012039364.tif 000004
【図３】
2012039364.tif 000005
【図４】
2012039364.tif 000006
【図５】
2012039364.tif 000007